(57)【要約】【課題】  １回の制御で対向している無線伝送装置両方の無線回線設定を変更でき、変更後無線回線が復旧しなかった場合、不通状態のまま対向側装置の制御が実施できなくなることを回避することができる無線伝送システム及び無線伝送制御方法を提供すること。【解決手段】  無線回線設定を変更する際、１対１で対向している無線伝送装置の内、いずれか一方の無線伝送装置（１ａ／１ｂ）が無線回線設定変更の要求を受信した場合、当該変更要求を受信した無線伝送装置（１ａ／１ｂ）の無線回線設定変更制御と、対向する無線伝送装置の無線回線設定変更制御を併せて実施する。また、無線回線設計変更時には、無線回線設定変更の要求を受けた無線伝送装置よりも、対向する無線伝送装置の無線回線設計変更から先に実施する。【選択図】  図１
2008072223.tif 000002
【特許請求の範囲】
【請求項１】
無線回線を介して１対１で対向し、自局における自局側無線伝送装置及び当該自局に対向する対向局における対向局側無線伝送装置を有し、前記無線回線の設定を予め一致させた上で、信号の送受信を行なう無線伝送システムにおいて、
前記自局側無線伝送装置は、無線回線設定の変更要求コマンドを前記対向局側無線伝送装置に送信し、
前記対向局側無線伝送装置は当該変更要求コマンドを受信した旨のコマンド受信通知信号を前記自局側無線伝送装置に送信し、前記コマンド受信通知信号の前記自局側無線伝送装置への送信が検出された場合、前記変更要求コマンドに従って、前記対向局側無線伝送装置の無線回線設定を変更し、
前記自局側無線伝送装置は、前記コマンド受信通知信号を受け、前記変更要求コマンドに従って前記自局側無線伝送装置の無線回線設定を変更することを特徴とする無線伝送システム。
【請求項２】
前記自局側無線伝送装置及び前記対向局側無線伝送装置は、それぞれ無線回線が導通したか否かを監視する自局側無線送受信手段及び対向局側無線送受信手段を有し、
無線回線設定の変更後、前記自局側無線送受信手段及び／又は前記対向局側無線送受信手段からの回線不通検出信号を受けた場合に、それぞれの無線回線の設定を無線回線設定変更前の状態に戻し、回線復旧させることを特徴とする請求項１記載の無線伝送システム。
【請求項３】
前記自局側無線伝送装置は、制御端末機器からの無線回線設定変更を要求する変更要求信号に従い、対向局設定コマンドを生成する自局側設定コマンド出力手段と、対向局設定コマンドを多重化して第１の無線送信信号を送出する第１の多重化手段を有し、
前記対向局側無線伝送装置は、
前記第１の無線送信信号を分離し、コマンド受信通知信号及び前記対向局設定コマンドに対応する受信コマンドを抽出して送出する第２の無線フレーム分離手段と、
前記コマンド受信通知信号を受け、無線フレームに多重して無線送信信号を生成し、前記対向局側無線送受信手段を介して前記自局側無線伝送装置へ送信する第２の多重化手段と、
前記受信コマンドを受信し、対向局側の第２の設定記憶手段に現在の自局側無線伝送装置の無線回線設定情報を格納し、前記コマンド受信通知信号の前記自局側無線伝送装置への送信が検出された場合、前記受信コマンドに従って、前記対向局側無線伝送装置の無線回線設定を変更する対向局側の第２の回線設定変更手段を有し、
前記自局側無線伝送装置は、
前記対向局側無線伝送装置から送信された受信無線信号を復調し、当該復調無線受信信号からコマンド受信通知信号を抽出して、対向設定コマンドが、前記第２の無線フレーム分離手段に送信され抽出されたことが検出された場合、コマンド受信検出信号を生成し、自局側設定コマンド出力手段に出力する第１の無線フレーム分離手段を有し、
前記自局側設定コマンド出力手段は、前記コマンド受信検出信号を受け、前記設定変更要求信号を装置設定コマンドとして第１の回線設定変更手段へ送信し、
前記装置設定回路は、装置設定コマンドを受け、現在の自局側無線伝送装置の設定情報を自局側の第１の設定記憶手段に格納し、前記装置設定コマンドに従い、自局側無線伝送装置の無線回線設定を変更することを特徴とする請求項１記載の無線伝送システム。
【請求項４】
前記自局側及び他局側の無線送受信手段は、無線回線が不通であるか否かを監視し、無線回線の不通を検出した場合、回線不通検出信号をそれぞれ前記第１及び前記第２の回線設定変更手段へ送信し、
前記第１及び前記第２の回線設定変更手段は、前記回線不通検出信号を受け、それぞれ前記第１及び前記第２の設定記憶手段に格納された無線回線設定変更前の回線設定情報を読み出し、前記自局側及び他局側の無線伝送装置の無線回線設定を変更前の無線回線設定に戻すことを特徴とする請求項３記載の無線伝送システム。
【請求項５】
無線回線を介して１対１で対向し、自局における自局側無線伝送装置及び当該自局に対向する対向局における対向局側無線伝送装置を有し、前記無線回線の設定を予め一致させた上で、信号の送受信を行なう無線伝送システムにおける無線伝送制御方法において、
制御端末機から受けた無線回線設定の変更要求コマンドを前記対向局側無線伝送装置に送信し、当該変更要求コマンドを受信した旨のコマンド受信通知信号を前記自局側無線伝送装置に送信し、前記コマンド受信通知信号の前記自局側無線伝送装置への送信が検出された場合、前記変更要求コマンドに従って、前記対向局側無線伝送装置の無線回線設定を変更するステップと、
前記対向局側無線伝送装置から送信された前記コマンド受信通知信号を受けた後、前記変更要求コマンドに従って前記自局側無線伝送装置の無線回線設定を変更するステップ
を有することを特徴とする無線伝送制御方法。
【請求項６】
前記自局側無線伝送装置において、制御端末機器からの無線回線設定変更を要求する変更要求信号に従って対向局の回線設定変更指示を行うための対向局設定コマンドを生成するステップと、
前記対向局設定コマンドを多重化して第１の無線送信信号を送出するステップと、
前記対向局側無線伝送装置において、前記第１の無線送信信号を分離し、コマンド受信通知信号及び前記対向局設定コマンドに対応する受信コマンドを抽出して送出するステップと、
前記コマンド受信通知信号を受け、無線フレームに多重して無線送信信号を生成し、前記自局側無線伝送装置へ送信するステップと、
前記受信コマンドを受信し、現在の自局側無線伝送装置の無線回線設定情報を格納するステップと、
前記コマンド受信通知信号が前記自局側無線伝送装置に送信されたか否か検出するステップと、
前記コマンド受信通知信号の前記自局側無線伝送装置への送信が検出された場合、前記受信コマンドに従って、前記対向局側無線伝送装置の無線回線設定を変更するステップと、
前記自局側無線伝送装置において、前記対向局側無線伝送装置から送信された受信無線信号を復調し、当該復調無線受信信号からコマンド受信通知信号を抽出するステップと、
対向設定コマンドが、前記第２の無線フレーム分離手段に送信し抽出されたか否か検出するステップと、
対向設定コマンドの送信及び抽出が、前記第２の無線フレーム分離手段において検出された場合、コマンド受信検出信号を生成し、出力するステップと、
前記コマンド受信検出信号を受け、前記設定変更要求信号を装置設定コマンドとして送信するステップと、
前記装置設定コマンドを受け、現在の自局側無線伝送装置の設定情報を格納し、前記装置設定コマンドに従い、前記自局側無線伝送装置の無線回線設定を変更するステップ
を有することを特徴とする請求項５記載の無線伝送制御方法。
【請求項７】
前記自局側及び他局側の無線送受信手段において、無線回線が不通であるか否かを監視するステップと、
無線回線の不通を検出した場合、回線不通検出信号を前記自局側又は他局側の無線送受信手段に送信するステップと、
前記回線不通検出信号を受け、それぞれ前記格納された無線回線設定変更前の回線設定情報を読み出し、前記自局側及び他局側の無線伝送装置の無線回線設定を変更前の無線回線設定に戻すステップ
を有することを特徴とする請求項６記載の無線伝送制御方法。
【発明の詳細な説明】
【技術分野】
【０００１】
本発明は、無線回線を介して１対１で対向し、対向する２つの無線伝送装置の無線信号通過に関わる設定（以下、無線回線設定と定義）を予め一致させた上で、信号の送受信を行なう無線伝送システム及び無線伝送制御方法に関する。
【背景技術】
【０００２】
無線回線を介して１対１で対向している無線伝送装置の制御を行なうにあたり、各々の局舎へ作業者が移動し、制御したい装置を制御端末機器と直接接続して制御を実施しなければならない様な事態を避けるため、各無線伝送装置は遠隔制御機能を備え、より保守性に優れた機能を実現させることを求められている。
【０００３】
例えば、以下の特許文献１では、有線ポート、及び、無線ポートを有するインタフェース部のサービスチャンネル信号が、例えば、アスキーコードといった所定の文字コード以外の文字コード（以下、ワードと定義）からなる信号であるか否かを判断し、サービスチャンネル信号を有線ポートまたは無線ポートへ振り分けるルーティングにより、遠隔装置の制御を行なう方法が提案されている。
【０００４】
図３は、前述した公報の一実施例である。図３に示す制御システムにおいて、無線伝送装置２００は、ＳＣ（サービスチャンネル）インタフェース部２１０と、制御部（以下、ＭＰＵ２２０と定義）を有し、制御システム内の１つの無線伝送装置２００に、ＳＣインタフェース部２１０を介して、装置制御信号を出力する制御端末機器３００が接続されている。また、無線伝送装置２００は、装置毎に異なるワードが設定されている。無線伝送装置２００において、ＳＣ（サービスチャンネル）インタフェース部２１０は、ワード検出機能とサービスチャンネルのルーティング機能を持ち、有線回線２４０／３１０、あるいは、無線回線１００からのＳＣ信号に対するワード検出を実施し、無線伝送装置毎に設定されたワードと一致するかどうかを検出し、一致した場合は有線回線を介してＳＣ信号を２３０制御部（以下、ＭＰＵ部２２０と定義）へルーティングし、無線伝送装置２００の制御を実行する。また、前述のワード検出時に、ＳＣ信号と無線伝送装置毎に設定されたワードが一致しなかった場合、ＳＣ信号をそのまま（スルー）次の無線伝送装置へ通す。ＭＰＵ部２２０は、前述のルーティングされたＳＣ信号を受信し、無線伝送装置の制御を実行する。
【０００５】
以上より、ＳＣ信号を介して伝送される制御端末機器３００からの制御信号は、任意の１台の無線伝送装置のＭＰＵ部とのみ通信することになり、遠隔制御が可能となる。
【０００６】
【特許文献１】特開２００２−３５３９０９
【発明の開示】
【発明が解決しようとする課題】
【０００７】
しかし、前述の方法では、以下のような問題点があった。
【０００８】
従来、無線回線を介して１対１で対向している無線伝送装置において、制御端末機器が接続されている無線伝送装置（以下、自局装置と定義）から、対向している無線伝送装置（以下、対向局装置と定義）に対して、遠隔制御を可能とする場合、自局装置から前述の無線回線を通して制御信号を対向局に送信し、対向局装置の制御を行なうのが一般的である。
【０００９】
しかし、無線回線設定の変更の様に、対向している装置両方の設定変更を必要とする場合、自局装置、対向局装置毎に個別に無線回線設定変更の制御を行なう必要があり、同様の操作を２回行なわなければならなかった。さらに、無線回線設定を変更する際、対向局装置より先に自局装置の無線回線を変更した場合、装置同士の無線回線設定が一致しないため、無線回線が不通になり、対向局装置の制御が不能となるという問題があった。
【００１０】
第１の問題点は、無線回線設定の変更の様に、自局装置、及び、対向局装置に対し制御が必要である場合、同様の制御を２回実施しなければならないことである。
【００１１】
その理由は、装置毎に設定したワードが一致した時のみ、ＳＣ信号（制御信号）はＭＰＵ部２２０にルーティングされる為、制御端末機器３００と装置のＭＰＵ部２２０は常に１対１でしか通信できず、同時に複数の装置を制御できないからである。
【００１２】
第２の問題点は、対向局装置の無線回線設定を変更する場合、自局装置の無線回線設定を変更する前に、必ず対向局装置の無線回線設定を変更しなければならないことである。
【００１３】
その理由は、どちらか一方の装置の無線回線設定を変更すると、無線回線が不通となってしまうため、自局装置を先に制御してしまうと、対向局装置との通信ができなくなり、対向局装置に対し制御が行なえなくなるからである。
【００１４】
第３の問題点は、対向局装置の無線回線設定を変更する際、何らかの理由で誤った制御が実行されてしまい無線回線が不通になってしまった場合に、無線回線を復旧させることが困難になることである。
【００１５】
その理由は、無線回線設定変更時に作業者の制御端末機器３００の操作ミスや、ＳＣ信号伝送時のエラーにより、対向局装置にて意図していない誤った制御が実行されて無線回線が不通になってしまった場合、再び回線復旧させる為には、対向局装置が設置されている局舎まで出向き正しく設定し直すか、対向局装置の設定と一致するまで自局装置の無線回線設定を変更する作業を実施行なわなければならないからである。
【００１６】
また、対向局装置の無線回線設定を変更する際、誤った制御が実行されて装置同士の無線回線設定が不一致となり、無線回線が不通になってしまった場合に、無線回線を復旧させるためには、対向局装置が設置されている局舎まで出向き正しく設定し直すか、対向局装置の設定と一致するまで自局装置の無線回線設定を変更しなければならないため、無線回線の復旧が困難であるという問題があった。
【００１７】
本発明の目的は、上記問題点を解決する無線伝送システム及び無線伝送制御方法、すなわち１回の制御で対向している無線伝送装置両方の無線回線設定を変更でき、無線回線設定変更後に無線回線が復旧しなかった場合に、無線が不通の状態のまま対向側装置の制御が実施できなくなることを回避することができる無線伝送システム及び無線伝送制御方法を提供することである。
【課題を解決するための手段】
【００１８】
上記課題を解決するために、本件発明は、以下の特徴を有する課題を解決するための手段を採用している。
【００１９】
本発明では、自局装置の無線回線設定変更の制御を実施すると、自局装置の無線回線設定を基にして対向局装置の無線回線設定を変更する制御コマンドを生成、対向局装置へ送信し、対向局装置にて前述の制御コマンドが受信されたことを確認した後で、自局装置の無線回線設定の変更を行なう機能を備えることにより、１回の操作で自局装置、及び、対向局装置の無線回線設定を変更可能な無線伝送システム及び無線伝送制御方法を提供することができる。
【００２０】
また、無線回線設定を変更する前に、設定変更前の無線回線設定の情報を装置内に設けたメモリに保存する機能と、無線回線設定変更後、無線回線が復旧するのに十分な時間を経ても無線回線が不通であった場合に、前述のメモリに保存した無線回線設定の情報を読み出す機能を備えることにより、無線回線設定を変更したことで、無線回線が不通になった場合に、設定変更を実施する前の状態で、無線回線復旧可能な無線伝送システム及び無線伝送制御方法を提供することができる。
【００２１】
具体的には、本発明の第１の態様に係る無線伝送システムは、
自局側無線伝送装置（１ａ）が、制御端末機器（１０）からの無線回線設定変更を要求する変更要求信号に従い、対向局設定コマンド（２２ａ）を生成する自局側設定コマンド出力手段（２０ａ）と、対向局設定コマンド（２２ａ）を多重化して第１の無線送信信号を送出する第１の多重化手段を有し、
前記対向局側無線伝送装置（１ｂ）が、
前記第１の無線送信信号を分離し、コマンド受信通知信号（６３ｂ）及び前記対向局設定コマンドに対応する受信コマンド（６１ｂ）を抽出して送出する第２の無線フレーム分離手段（６０ｂ）と、
前記コマンド受信通知信号（６３ｂ）を受け、無線フレームに多重して無線送信信号（５１ｂ）を生成し、他局側無線送受信手段（７０ｂ）を介して前記自局側の無線伝送装置（１ａ）へ送信する第２の多重化手段と、
前記受信コマンド（６１ｂ）を受信し、第２の設定記憶手段（４０ｂ）に現在の自局側無線伝送装置の無線回線設定情報（３１ｂ）を格納し、前記コマンド受信通知信号（６３ｂ）の前記無線伝送装置（１ａ）への送信が検出された場合、前記受信コマンド（６１ｂ）に従って、無線伝送装置（１ｂ）の無線回線設定を変更する第２の回線設定変更手段（３０ｂ）を有し、
前記自局側無線伝送装置（１ａ）が、
前記対向局側無線伝送装置（１ｂ）から送信された受信無線信号を復調し、当該復調無線受信信号（７１ａ）からコマンド受信通知信号（６３ｂ）を抽出して、対向設定コマンド（２２ａ）が、前記第２の無線フレーム分離手段（６０ｂ）に送信され抽出されたことが検出された場合、コマンド受信検出信号（６２ａ）を生成し、自局側設定コマンド出力手段（２０ａ）に出力する第１の無線フレーム分離手段（６０ａ）を有し、
前記自局側設定コマンド出力手段（２０ａ）が、前記コマンド受信検出信号（６２ａ）を受け、前記設定変更要求信号を装置設定コマンド（２１ａ）として第１の回線設定変更手段（３０ａ）へ送信し、
前記装置設定回路（３０ａ）が、装置設定コマンド（２１ａ）を受け、設定記憶メモリ（４０ａ）へ現在の自局側無線伝送装置の設定情報（３１ａ）を第１の設定記憶手段（４０ａ）に格納し、前記装置設定コマンド（２１ａ）に従い、自局側無線伝送装置（１ａ）の無線回線設定を変更し、
前記自局側及び他局側の無線送受信手段（７０ａ／７０ｂ）が、無線回線が不通であるか否かを監視し、無線回線の不通を検出した場合、回線不通検出信号をそれぞれ前記第１及び前記第２の回線設定変更手段（３０ａ／３０ｂ）へ送信し、
前記第１及び前記第２の回線設定変更手段（３０ａ／３０ｂ）が、前記回線不通検出信号を受け、それぞれ前記第１及び前記第２の設定記憶手段（４０ａ／４０ｂ）に格納された無線回線設定変更前の回線設定情報を読み出し、前記自局側及び他局側の無線伝送装置（１ａ／１ｂ）の無線回線設定を変更前の無線回線設定に戻すことを特徴とする。
【００２２】
本発明の第２の態様に係る無線伝送制御方法は、
前記自局側無線伝送装置において、制御端末機器からの無線回線設定変更を要求する変更要求信号に従って対向局の回線設定変更指示を行うための対向局設定コマンド（２２ａ）を生成するステップと、
前記対向局設定コマンド（２２ａ）を多重化して第１の無線送信信号を送出するステップと、
前記対向局側無線伝送装置において、前記第１の無線送信信号を分離し、コマンド受信通知信号（６３ｂ）及び前記対向局設定コマンドに対応する受信コマンド（６１ｂ）を抽出して送出するステップと、
前記コマンド受信通知信号（６３ｂ）を受け、無線フレームに多重して無線送信信号（５１ｂ）を生成し、前記自局側の無線伝送装置（１ａ）へ送信するステップと、
前記受信コマンド（６１ｂ）を受信し、現在の自局側無線伝送装置の無線回線設定情報（３１ｂ）を格納するステップと、
前記コマンド受信通知信号（６３ｂ）が前記無線伝送装置（１ａ）に送信されたか否か検出するステップと、
前記コマンド受信通知信号（６３ｂ）の前記無線伝送装置（１ａ）への送信が検出された場合、前記受信コマンド（６１ｂ）に従って、無線伝送装置（１ｂ）の無線回線設定を変更するステップと、
前記自局側無線伝送装置（１ａ）において、前記無線伝送装置（１ｂ）から送信された受信無線信号を復調し、当該復調無線受信信号（７１ａ）からコマンド受信通知信号（６３ｂ）を抽出するステップと、
対向設定コマンド（２２ａ）が、前記第２の無線フレーム分離手段（６０ｂ）に送信し抽出されたか否か検出するステップと、
対向設定コマンド（２２ａ）の送信及び抽出が、前記第２の無線フレーム分離手段（６０ｂ）において検出された場合、コマンド受信検出信号（６２ａ）を生成し、出力するステップと、
前記コマンド受信検出信号（６２ａ）を受け、前記設定変更要求信号を装置設定コマンド（２１ａ）として送信するステップと、
前記装置設定コマンド（２１ａ）を受け、設定記憶メモリ（４０ａ）へ現在の自局側無線伝送装置の設定情報（３１ａ）を格納し、前記装置設定コマンド（２１ａ）に従い、前記自局側無線伝送装置（１ａ）の無線回線設定を変更するステップと、
前記自局側及び他局側の無線送受信手段（７０ａ／７０ｂ）において、無線回線が不通であるか否かを監視するステップと、
無線回線の不通を検出した場合、回線不通検出信号を前記自局側又は他局側の無線送受信手段（７０ａ／７０ｂ）に送信するステップと、
前記回線不通検出信号を受け、それぞれ前記第１又は前記第２の設定記憶手段（４０ａ／４０ｂ）に格納された無線回線設定変更前の回線設定情報を読み出し、前記自局側及び他局側の無線伝送装置（１ａ／１ｂ）の無線回線設定を変更前の無線回線設定に戻すステップ
を有することを特徴とする。
【発明の効果】
【００２３】
本発明の第１の効果は、無線回線を介し距離を隔てて対向している無線伝送装置において、無線回線設定を変更する際、どちらか一方の無線伝送装置に対し無線回線設定変更を実行すると、もう一方の対向局装置の無線回線設定も併せて変更することで、１回の制御で対向している無線伝送装置両方の無線回線設定を変更できることである。
【００２４】
その理由は、自局装置の無線回線設定を変更する際に、変更する無線回線設定を無線フレームに多重して、対向局装置の無線回線設定変更用のコマンドとして対向局装置に通知する機能と、対向局装置から通知された無線回線設定変更用のコマンドを無線フレームから抽出して、自局装置の無線回線設定を変更する機能、及び、対向局装置で前述の無線回線設定変更用コマンドが受信されたことを検出してから自局装置の無線回線設定を変更することにより、自局装置の無線回線設定を変更する前に、対向局装置の無線回線設定を変更する機能を備えているからである。
【００２５】
本発明の第２の効果は、無線回線を介し距離を隔てて対向している無線伝送装置において、無線回線設定を変更する際、無線回線上でエラーが発生する等が原因で、対向している装置の無線回線設定が一致せず、無線回線設定変更後も無線回線が復旧しなかった場合に、無線が不通の状態のまま対向側装置の制御が実施できなくなることを回避することができる。
【００２６】
その理由は、無線回線設定変更前に現在の無線回線設定を保存し、無線回線設定を変更後、復旧するのに十分な時間を経ても無線回線が復旧しないことを検出した場合には、メモリに保存していた無線回線設定を読み出して、無線回線設定変更前の無線回線設定に戻す機能を備えているからである。
【発明を実施するための最良の形態】
【００２７】
以下、本発明の一実施の形態について図面を参照して詳細に説明する。
【００２８】
図１は本発明の一実施の形態を示すブロック図である。図１に示す実施例は、無線伝送装置１ａと無線伝送装置１ｂが無線回線を介して対向しており、各無線伝送装置１ａ／１ｂは制御端末機器１０とのインタフェース機能を持ち、制御端末機器１０からの制御を受けて、無線回線設定を制御する。ここでは、無線伝送装置１ａの構成について詳細に説明する。尚、無線伝送装置１ａと無線伝送装置１ｂは同一の構成を持ち、無線伝送装置１ｂを構成する２０ｂ〜７１ｂは、無線伝送装置１ａを構成する２０ａ〜７１ａに各々対応する。
【００２９】
図１において、設定コマンド出力回路２０ａは、制御端末機器１０から無線伝送装置１ａの無線回線設定変更を要求する信号を受信すると、要求されている無線回線設定の情報に基づいて対向設定コマンド２２ａを生成し、対向する無線伝送装置１ｂへ無線伝送装置１ａの無線回線設定情報を通知するため、無線フレーム多重回路５０ａへ出力する。また、設定コマンド出力回路２０ａは、後述する無線フレーム分離回路６０ａからのコマンド受信検出信号６２ａを受信した場合は、制御端末機器１０からの自局装置（無線伝送装置１ａ）の無線回線設定変更を要求する信号を装置設定コマンド（自局設定コマンド）２１ａとして、装置設定回路３０ａへ出力する。
【００３０】
装置設定回路３０ａは、設定コマンド出力回路２０ａからの装置設定コマンド２１ａに従い、制御端末機器１０から要求された無線回線設定にて、無線伝送装置１ａの無線回線設定を変更する。また、後述する無線フレーム分離回路６０ａからの受信コマンド６１ａを受信した場合には、無線伝送装置１ｂからの無線回線設計変更の要求に従い、無線伝送装置１ａの無線回線設定を変更する。さらに、装置設定回路３０ａは、無線伝送装置１ａの無線回線設定を変更する前に、設定変更前の無線伝送装置１ａの無線回線設定情報を設定保存情報３１ａとして、後述する設定記憶メモリ４０ａへ出力し、無線回線設定変更してから無線回線が復旧するのに十分な時間を経ても、後述する無線送受信回路７０ａから回路不通検出信号７２ａを受信し続けた場合、無線回線設定を変更したことにより、前記無線回線設定の変更後、無線回線が不通になっていると判断し、設定記憶メモリ４０ａから前述の変更前における設定保存情報３１ａを読み出してコマンド４１ａとして装置設定回路３０ａに送出する。無線伝送装置１ａの無線回線設定は、変更前の無線回線設定情報に従って変更される。
【００３１】
設定記憶メモリ４０ａは、装置設定回路３０ａから受信した設定変更前の無線回線設定を示す設定保存情報３１ａを保持する。
【００３２】
無線フレーム多重回路５０ａは、設定コマンド出力回路２０ａから受信した対向設定コマンド２２ａと、無線フレーム分離回路６０ａからのコマンド受信通知信号６３ａを無線フレームに多重して無線送信信号５１ａを生成し、後述する無線送受信回路７０ａへ出力する。
【００３３】
無線フレーム分離回路６０ａは、後述する無線送受信回路７０ａから無線受信信号７１ａを受信し、無線受信信号７１ａから、対向している無線伝送装置１ｂの無線フレーム多重回路５０ｂで多重された対向設定コマンド２２ｂと、コマンド受信通知信号６３ｂを抽出する。対向設定コマンド２２ｂを抽出し、無線伝送装置１ｂから無線回線設定変更の要求があることを認識すると、コマンド受信通知信号６３ａを生成して、無線フレーム多重回路５０ａに出力し、さらに、対向設定コマンド２２ｂを受信コマンド６１ａとして装置設定回路３０ａへ出力する。また、コマンド受信通知信号６３ｂを抽出し、前述の設定コマンド出力回路２０ａで生成した対向設定コマンド２２ａが、無線伝送装置１ｂの無線フレーム分離回路６０ｂで抽出されたことを確認すると、コマンド受信検出信号６２ａを生成し、設定コマンド出力回路２０ａへ出力する。
【００３４】
無線送受信回路７０ａは、無線フレーム多重回路５０ａからの無線送信信号５１ａを変調し、無線周波数に変換して無線回線へ出力すると共に、無線回線を介して対向している無線伝送装置１ｂからの無線信号を復調し、クロックの抽出及び、無線フレームの同期確立を行なった後、無線受信信号７１ａを無線フレーム分離回路６０ａへ出力する。また、無線回線の回線状況を監視して、回線が不通になっていることを検出すると、回線不通検出信号７２ａを装置設定回路３０ａへ出力する。
【００３５】
以下、上記した実施の形態における無線伝送装置の無線回線設計変更時の制御動作について詳細に説明する。
【００３６】
まず、図１を参照して無線伝送装置１ａが無線回線を介して無線伝送装置１ｂと対向している状態において、無線伝送装置１ａが制御端末機器１０から無線回線設定変更を要求する信号を受信してから、無線伝送装置１ａ／１ｂの無線回線設定が変更されて、再び無線回線が導通するまでの動作を詳細に説明する。
【００３７】
図１において、無線伝送装置１ａの設定コマンド出力回路２０ａは、無線伝送装置１ｂを無線伝送装置１ａと同様の無線回線設定に変更するために、制御端末機器１０からの無線回線設定変更を要求する信号に従い、対向設定コマンド２２ａを生成し、無線フレーム多重回路５０ａへ出力する。
【００３８】
無線フレーム多重回路５０ａは、設定コマンド出力回路２０ａからの対向設定コマンド２２ａを無線フレームに多重して、無線送信信号５１ａを無線送受信回路７０ａへ出力する。無線送受信回路７０ａは受信した無線送信信号５１ａを変調し、無線周波数に変換して無線回線へ送信する。
【００３９】
無線伝送装置１ａと対向している無線伝送装置１ｂの無線送受信回路７０ｂは、無線回線を介して無線伝送装置１ａから受信した無線信号を復調し、クロックの抽出、及び、無線フレームの同期確立を行なった後、無線受信信号７１ｂを無線フレーム分離回路６０ｂへ出力する。無線フレーム分離回路６０ｂは、無線受信信号７１ｂから、無線フレーム多重回路５０ａで多重された対向設定コマンド２２ａ（５１ａの内の２２ａ部分）を抽出し、無線伝送装置１ａから無線回線設定変更の要求があることを確認すると、コマンド受信通知信号６３ｂを無線フレーム多重回路５０ｂへ出力し、さらに、対向設定コマンド２２ａを受信コマンド６１ｂとして装置設定回路３０ｂへ出力する。無線フレーム多重回路５０ｂは、無線フレーム分離回路６０ｂからのコマンド受信通知信号６３ｂを無線フレームに多重して無線送信信号５１ｂを生成し、無線送受信回路７０ｂに出力する。無線送受信回路７０ｂは、受信した無線送信信号５１ｂを変調し、無線周波数に変換して無線回線へ送信する。装置設定回路３０ｂは、無線フレーム分離回路６０ｂからの受信コマンド６１ｂを受信すると、設定記憶メモリ４０ｂへ現在の自局装置の無線回線設定を設定保存情報３１ｂとして出力し、前述のコマンド受信通知信号６３ｂが無線フレーム多重回路５０ｂにて無線フレームに多重され無線伝送装置１ａへ送出されると、受信コマンド６１ｂに従い、無線伝送装置１ｂの無線回線設定を変更する。
【００４０】
無線伝送装置１ａ内の無線送受信回路７０ａは、無線回線を介して無線伝送装置１ｂから受信した無線信号を復調し、クロックの抽出、及び、無線フレームの同期確立を行なった後、無線受信信号７１ａを無線フレーム分離回路６０ａへ出力する。無線フレーム分離回路６０ａは、無線受信信号７１ａから無線フレーム多重回路５０ｂで多重されたコマンド受信通知信号６３ｂを抽出して、前述の無線フレーム多重回路５０ａで無線フレームに多重した対向設定コマンド２２ａが、無線伝送装置１ｂの無線フレーム分離回路６０ｂにて無線フレームから抽出されたことを確認すると、コマンド受信検出信号６２ａを生成し、設定コマンド出力回路２０ａへ出力する。設定コマンド出力回路２０ａは、無線フレーム分離回路６０ａからのコマンド受信検出信号６２ａを受信すると、前述した制御端末機器１０からの無線回線設定変更を要求する信号を装置設定コマンド２１ａとして装置設定回路３０ａへ出力する。装置設定回路３０ａは、設定コマンド出力回路２０ａからの装置設定コマンド２１ａを受信すると、設定記憶メモリ４０ａへ現在の自局装置の設定情報を設定保存情報３１ａとして出力した後、装置設定コマンド２１ａに従い、無線伝送装置１ａの無線回線設定を変更する。
【００４１】
以上より、図１に示した無線回線を介して対向する無線伝送装置１ａ／１ｂにおいて、無線伝送装置の無線回線設定を変更する際に、どちらか一方の無線伝送装置にて無線回線設定変更の制御を実施するだけで、対向局装置の無線回線設定も変更し無線回線を導通させることが可能となり、且つ、対向局装置にて対向設定コマンド２２ａが抽出されたことを確認した後、すなわち対向設定コマンド２２ａを検出した後で自局装置の無線回線設定を変更することにより、自局装置よりも先に対向局装置の無線回線設計変更を実施することが可能となる。
【００４２】
次に、図１において、前述と同様に無線伝送装置１ａ／１ｂの設定を変更したとき、無線回線上で無線フレームにエラーが発生することによって、無線伝送装置１ａ／１ｂの無線回線設定が一致せず、無線回線が不通のまま復旧しなかった場合の動作について説明する。
【００４３】
無線送受信回路７０ａ／７０ｂは、無線回線の回線状況を監視して、無線回線が不通になっていることを確認し、回線不通検出信号７２ａ／７２ｂを装置設定回路３０ａ／３０ｂへ出力する。装置設定回路３０ａ／３０ｂは、無線回線設定変更後に無線回線が復旧するのに十分な時間を経ても無線送受信回路７０ａ／７０ｂからの回線不通検出信号７２ａを受信し続けるため、無線回線設定を変更したことで無線回線が不通になっていると判断し、変更前の無線回線設定に設定を戻す為、装置設定回路３０ａ／３０ｂは、設定記憶メモリ４０ａ／４０ｂに蓄積された前述の読み出しコマンド４１ａ／４１ｂを読み出し、無線伝送装置１ａ／１ｂの無線回線設定を変更前の無線回線設定に戻す。
【００４４】
以上より、無線伝送装置１ａ／１ｂの無線回線設定変更後に無線回線が導通しなかった場合において、回線断を検出して変更前の無線回線設定に戻す様制御することで、無線回線を確実に復旧させることができる。
【００４５】
図１において、無線伝送装置１ａの装置設定回路３０ａは、無線回線設定変更後、無線回線が復旧するのに十分な時間を経ても、無線送受信号回路７０ａから回路不通検出信号７２ａを受信し続けた場合、無線回線設定を変更したことで、無線回線が不通になっていると判断し、設定記憶メモリ４０ａから読み出しコマンド４１ａを読み出して、変更前の無線回線設定に戻し、無線回線を復旧させる。
【００４６】
上記した各実施の形態は、本発明を好適に実施した形態の一例に過ぎず、本発明は、その主旨を逸脱しない限り、種々変形して実施することが可能なものである。例えば、図２に示すように無線伝送装置１ａの装置設定回路３０ａは無線回線設定を変更すると、設定変更通知信号３２ａを無線フレーム多重回路５０ａへ出力する機能と、無線フレーム分離回路６０ａは無線伝送装置１ｂの無線フレーム多重回路５０ｂにて多重された設定変更通知信号３２ｂを抽出すると、対向設定変更検出信号６４ｂを装置設定回路３０ａへ出力する機能を備えるものとし、装置設定回路３０ａは無線回線設定変更後、無線回線が復旧するのに十分な時間を経ても無線フレーム分離回路６０ａからの対向設定変更検出信号６４ａを受信しなかった場合、無線回線設定を変更したことで、無線回線が不通になっていると判断し、設定記憶メモリ４０ａから読み出しコマンド４１ａを読み出して、変更前の無線回線設定に戻し、無線回線を復旧させるという動作にしても良い。
【図面の簡単な説明】
【００４７】
【図１】本発明の無線伝送システムの一実施の形態を示すブロック図である。
【図２】発明の無線伝送システムの他の実施の形態を示すブロック図である。
【図３】従来の無線伝送システムの一例を示すブロック図である。
【符号の説明】
【００４８】
１ａ，１ｂ    無線伝送装置
１０    制御端末機器
２０ａ，２０ｂ    設定コマンド出力回路
２１ａ，２１ｂ    装置設定コマンド（自局設定コマンド）
２２ａ，２２ｂ    対向設定コマンド
３０ａ，３０ｂ    装置設定回路
３１ａ，３１ｂ    設定保存情報
４０ａ，４０ｂ    設定記憶メモリ
５０ａ，５０ｂ    無線フレーム多重回路
５１ａ，５１ｂ    無線送信信号
６０ａ，６０ｂ    無線フレーム分離回路
６１ａ，６１ｂ    受信コマンド
６２ａ，６２ｂ    コマンド受信検出信号
６３ａ，６３ｂ    コマンド受信通知信号
７０ａ，７０ｂ    無線送受信回路
７１ａ，７１ｂ    無線受信信号
７２ａ，７２ｂ    回路不通検出信号
【図１】
2008072223.tif 000003
【図２】
2008072223.tif 000004
【図３】
2008072223.tif 000005